(57)【要約】【課題】共用化受信機と地上アダプターとが１対１の接続ではなく、例えば、複数対１の接続関係となる場合であっても安定した動作を確保できるアダプター（簡易のデジタル放送受信機）、共用化受信機、及び該共用化受信機の制御方法を提供することを目的とする。【解決手段】アダプター３１Ａ等に、そのフルＴＳ信号をＩＥＥＥ１３９４バスを介して送信する共用化受信機のＧＵＩＤを格納するオーナーＧＵＩＤ記憶部４３を設け、そのオーナーＧＵＩＤ記憶部４３に格納されたＧＵＩＤ以外の共用化受信機の地上アダプター３１の使用を禁止する。オーナーＧＵＩＤ記憶部４３に格納されたＧＵＩＤは、地上アダプター３１Ａ等の電源スイッチをＯＦＦの状態とした時等にクリアする。【選択図】  図１
2004328529.tif 000002
【特許請求の範囲】
【請求項１】
受信したデジタル放送信号を復調する受信部と、
前記受信部で前記デジタル放送信号を復調したフルＴＳ信号をＩＥＥＥ１３９４バスに送信するインターフェースと、
前記フルＴＳ信号を前記ＩＥＥＥ１３９４バスを介して送信する第１の送信先を識別する第１の識別データを格納するための識別データ格納領域と、を有するデジタル放送受信機。
【請求項２】
前記識別データ格納領域に前記第１の識別データが格納された状態では、前記第１の送信先のみに前記フルＴＳ信号の送信を可能とし、第２の送信先には前記フルＴＳ信号の送信を不可とする排他制御を行う制御部を有することを特徴とする請求項１に記載のデジタル放送受信機。
【請求項３】
前記識別データ格納領域は、前記デジタル放送受信機の電源スイッチがＯＦＦした時に、格納する前記第１の識別データが消去され、未使用状態とされることを特徴とする請求項２に記載のデジタル放送受信機。
【請求項４】
前記識別データ格納領域は、前記第１の送信先が前記ＩＥＥＥ１３９４バスから電気的接続が解除された時に、格納する前記第１の識別データが消去され、未使用状態とされることを特徴とする請求項２に記載のデジタル放送受信機。
【請求項５】
前記制御手段は、前記未使用状態時にアクセスされた送信先を前記第１の送信先とし、前記識別データ格納領域に前記第１の識別データを格納することを特徴とする請求項３又は４に記載のデジタル放送受信機。
【請求項６】
前記排他制御は、前記第１の送信先とはＩＥＣ６１８８３−１で規定されるｐｏｉｎｔ−ｔｏ−ｐｏｉｎｔコネクションを確立し、前記第２の送信先とは該ＩＥＣ６１８８３−１で規定される接続の確立を拒否することを特徴とする請求項２に記載のデジタル放送受信機。
【請求項７】
前記排他制御は、前記第１の送信先からのＤＴＣＰ規格による認証要求に応答し、前記第２の送信先からのＤＴＣＰ規格による認証要求を拒否することを特徴とする請求項２に記載のデジタル放送受信機。
【請求項８】
前記識別データは、ＩＥＥＥで標準化されたＧＵＩＤであることを特徴とする請求項１乃至７に記載のデジタル放送受信機。
【請求項９】
デジタル放送受信機からＩＥＥＥ１３９４バスを介して送信されるフルＴＳ信号を受信するインターフェースと、該デジタル放送受信機を該ＩＥＥＥ１３９４バスを介して制御する制御手段と、を有する共用化受信機において、
前記制御手段は、
前記デジタル放送受信機に設けられた識別データ格納領域を参照し、自身の前記共用化受信機以外の他機器の識別データが格納されている場合には、該デジタル放送受信機の使用を自ら禁止し、
前記識別データ格納領域がクリアされている場合には、前記共用化受信機自身の識別データを該識別データ格納領域に設定し、前記デジタル放送受信機の使用を自ら許可することを特徴とする共用化受信機。
【請求項１０】
デジタル放送受信機からＩＥＥＥ１３９４バスを介して送信されるフルＴＳ信号を受信するインターフェースと、該デジタル放送受信機を該ＩＥＥＥ１３９４バスを介して制御する制御手段と、を有する共用化受信機の制御方法において、
前記制御手段は、
前記デジタル放送受信機に設けられた識別データ格納領域を参照し、自身の前記共用化受信機以外の他機器の識別データが格納されている場合には、該デジタル放送受信機の使用を自ら禁止し、
前記識別データ格納領域がクリアされている場合には、前記共用化受信機自身の識別データを該識別データ格納領域に設定し、前記デジタル放送受信機の使用を自ら許可することを特徴とする共用化受信機の制御方法。
【発明の詳細な説明】
【０００１】
【発明の属する技術分野】
本発明は、受信データを復号等してユーザに提供できる情報に変換するデジタル放送受信機、例えば、衛星デジタル放送受信機（共用化受信機）に接続し、該デジタル放送受信機の一部の構成を共用することで受信データを復号等してユーザに情報を提供できる簡易のデジタル放送受信機（アダプター）と、該共用化受信機と、該共用化受信機の制御方法に関する。
【０００２】
【従来の技術】
衛星（ＢＳ（Ｂｒｏａｄｃａｓｔｉｎｇ  Ｓａｔｅｌｌｉｔｅ），ＣＳ（Ｃｏｍｍｕｎｉｃａｔｉｏｎｓ  Ｓａｔｅｌｌｉｔｅ））デジタル放送受信装置（以下、「共用化受信機」と言う）に接続されて使用される地上デジタル放送受信装置（以下、「地上アダプター」と言う）として現在、ＡＲＩＢにて規格策定されているものは、図４に示すようにＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４バス２１を介して共用化受信機１ａと地上アダプター３１ａを接続するものである（例えば、非特許文献１参照）。
【０００３】
図２の共用化受信機１ａは、衛星放送受信用のアンテナ３と、アンテナ３で受信した信号を復調・誤り訂正等を行いＭＰＥＧ（Ｍｏｔｉｏｎ  Ｐｉｃｔｕｒｅ  Ｅｘｐｅｒｔｓ  Ｇｒｏｕｐ）−ＴＳ（Ｔｒａｎｓｐｏｒｔ  Ｓｔｒｅａｍ）信号（以下、「フルＴＳ信号」と言う）として出力するＢＳ・ＣＳフロントエンド（受信部）５と、衛星デジタル放送と地上デジタル放送とを選択する切換スイッチ７と、有料放送などのＴＳ信号にかけられているスクランブル（例えば、周波数を不規則に変えた暗号化）を解くＣＡ（Ｃｏｎｄｉｔｉｏｎａｌ  Ａｃｃｅｓｓ）デスクランブラ９と、ＴＳ信号から特定サービス（番組）の画像、音声等を分離した信号を出力するＤＥＭＵＸ（多重分離器）１１と、ＤＥＭＵＸ１１からのパーシャルＴＳ信号を復号するＭＰＥＧ２デコーダ１３と、を有し、特定サービスの映像・音声が図示しない画像表示部とスピーカから出力される。また、前記切換スイッチ７にはＩＥＥＥ１３９４バス２１を介して地上アダプター３１ａと接続される入出力インターフェース１５が接続されている。共用化受信機１ａ内の前記各構成は、ＣＰＵ（制御部）１７の下に制御されている。
【０００４】
地上アダプター３１ａは、アンテナ３３と、アンテナ３３で受信した信号を復調・誤り訂正等を行いＭＰＥＧ−ＴＳ信号として出力する地上フロントエンド（受信部）３５と、該地上フロントエンド３５とＩＥＥＥ１３９４バス２１とを接続する入出力インターフェース３７と、を有し、ＣＰＵ（制御部）３９の制御下で地上フロントエンド３５からのＣＡスクランブルされたままのフルＴＳ信号を入出力インターフェース３７を介してＩＥＥＥ１３９４バス２１に送信可能としている。係る構成により地上アダプター３１ａの受信信号のフルＴＳ信号の処理を共用化受信機１ａのＣＡデスクランブラ９と、ＤＥＭＵＸ１１と、ＭＰＥＧ２デコーダ１３と、図示しない画像表示部、スピーカを共用し、地上アダプター３１ａの構成を簡単化している。
【０００５】
上記構成の下で、ユーザから例えば番組選択用のリモコンを介して衛星デジタル放送の特定サービスが指定された場合には、切換スイッチ７がＢＳ・ＣＳフロントエンド５側に接続され、ユーザから例えば番組選択用のリモコンを介して地上デジタル放送の特定サービスが指定された場合には切換スイッチ７がＩＥＥＥ１３９４入出力インターフェース１５側に接続され、所望の特定サービスの映像・音声が図示しない表示部とスピーカから出力される。
【０００６】
また、ＩＥＥＥ１３９４バス２１はその高い性能より、多くの情報機器、例えば、記録機器や、パーソナルコンピュータ等にも用いらており、図５に示すように複数の共用化受信機１ａ、１ｂが１の地上アダプター３１ａをＩＥＥＥ１３９４バス２１を介して共用することも可能となる。
【０００７】
【非特許文献１】
デジタル放送用受信装置  標準規格  ＡＲＩＢ  ＳＴＤ−Ｂ２１  ４．０版、平成１５年２月  ４．０版第１刷、社団法人電波産業会発行（第１５章共用化受信装置（オプション））
【０００８】
【発明が解決しようとする課題】
しかしながら、複数の共用化受信機１ａ，１ｂ等が１の地上アダプター３１ａを同時に使用した場合には、共用化受信機１ａと地上アダプター３１ａが通信中に共用化受信機１ｂからも受信指令が入る場合があり、異なる共用化受信機から同時に受信指令等を受けた場合には、地上アダプター３１の動作が不安定となる問題が生じる。
【０００９】
本発明は、前記の問題点を解消するためになされたものであって、共用化受信機とアダプターとが１対１の接続ではなく、例えば、複数対１の接続関係となる場合であっても安定した動作を確保できるアダプター（簡易のデジタル放送受信機）、共用化受信機、及び該共用化受信機の制御方法を提供することを目的とする。
【００１０】
【課題を解決するための手段】
本発明は、上記の目的を達成するため、次の構成を有する。
本発明のデジタル放送受信機は、受信したデジタル放送信号を復調する受信部と、前記受信部で前記デジタル放送信号を復調したフルＴＳ信号をＩＥＥＥ１３９４バスに送信するインターフェースと、前記フルＴＳ信号を前記ＩＥＥＥ１３９４バスを介して送信する第１の送信先を識別する第１の識別データを格納するための識別データ格納領域と、を有する。
【００１１】
上記構成によりデジタル放送受信機は、識別データ格納領域に格納された第１の識別データによりフルＴＳ信号を送信すべき第１の送信先を一意に識別可能となり、デジタル放送受信機の安定性を確保できる。
【００１２】
上記デジタル放送受信機としては、例えば、地上デジタル放送受信機、衛星デジタル放送受信機、或はケーブルデジタル放送受信機等が適用できる。
【００１３】
また、前記識別データ格納領域に前記第１の識別データが格納された状態では、前記第１の送信先のみに前記フルＴＳ信号の送信を可能とし、第２の送信先には前記フルＴＳ信号の送信を不可とする排他制御を行う制御部を有することで、確実に排他制御が可能となり、デジタル放送受信機の安定性を高めることができる。
【００１４】
また、識別データ格納領域を、デジタル放送受信機の電源スイッチがＯＦＦした時や第１の送信先がＩＥＥＥ１３９４バスから電気的接続が解除された時に、格納する第１の識別データを消去することで、第２の送信先によるデジタル放送受信機の使用を確保できる。
【００１５】
また、制御手段は、未使用状態時にアクセスされた送信先を第１の送信先とし、識別データ格納領域に第１の識別データを格納することで有効に複数の送信先によるデジタル放送受信機の使用を確保できる。
【００１６】
また、排他制御は、第１の送信先とＩＥＣ６１８８３−１で規定されるｐｏｉｎｔ−ｔｏ−ｐｏｉｎｔコネクションを確立し、第２の送信先とＩＥＣ６１８８３−１で規定される接続の確立を拒否することで簡単な構成に実施できる。
【００１７】
また、排他制御は、第１の送信先からのＤＴＣＰ規格による認証要求に応答し、第２の送信先からのＤＴＣＰ規格による認証要求を拒否することで簡単な構成に実施できる。
【００１８】
また、識別データをＩＥＥＥで標準化されたＧＵＩＤとすることで、ＩＥＥＥ１３９４バスを使用するに前に割当てられているので、新たに識別データを作成することなく簡単に排他制御が可能となる。
【００１９】
本発明の共用化受信機、及びその制御方法は、デジタル放送受信機からＩＥＥＥ１３９４バスを介して送信されるフルＴＳ信号を受信するインターフェースと、該デジタル放送受信機を該ＩＥＥＥ１３９４バスを介して制御する制御手段とを共用化受信機に設け、制御手段が、前記デジタル放送受信機に設けられた識別データ格納領域を参照し、自身の前記共用化受信機以外の他機器の識別データが格納されている場合には、該デジタル放送受信機の使用を自ら禁止し、前記識別データ格納領域がクリアされている場合には、前記共用化受信機自身の識別データを該識別データ格納領域に設定し、前記デジタル放送受信機の使用を自ら許可する構成、及ぶその制御方法を特徴とする。
【００２０】
上記共用化受信機の構成により、複数の共用化受信機が共通のデジタル放送受信機を使用する場合であっても、デジタル放送受信機を不安定な状態にすることなく安定した使用可能を確保できる。
【００２１】
【発明の実施の形態】
［第１の実施の形態］
以下、図１を参照して本発明の第１の実施形態を詳細に説明する。尚、上記した構成には同一符号を付し、その説明を省略し、上記従来の構成と異なる部分を中心に説明する。
【００２２】
図１において、上記説明した構成との相違部分は、共用化受信機１Ａ、１ＢのＣＰＵ１７の制御方法と、地上アダプター３１Ａに共用化受信機を一意に特定可能な識別データＧＵＩＤを記憶するオーナーＧＵＩＤ記憶部（識別データ格納領域）４３を設けた点と、ＣＰＵ３９の制御方法と、が相違している。
【００２３】
通常、ＩＥＥＥ１３９４バス２１に接続される機器には、ＩＥＥＥによって標準化された、ＩＥＥＥ１３９４バス２１に接続された機器を一意に決定するために各機器毎に割り振られた識別データＧＵＩＤ（Ｇｌｏｂａｌ  Ｕｎｉｑｕｅ  Ｉｄｅｎｔｉｆｉｅｒ）（ＥＵＩ６４：ＩＥＥＥの６４ビットＥｘｔｅｎｄｅｄ  Ｕｎｉｑｕｅ  Ｉｄｅｎｔｉｆｉｅｒ）がＩＥＥＥ１３９４入出力インターフェース１５又は共用化受信機内の管理可能領域１９ａ，１９ｂに管理されている。図１の場合には、共用化受信機１Ａの管理可能領域１９ａに識別データＧＵＩＤ−１が、共用化受信機１Ｂの管理可能領域１９ｂに識別データＧＵＩＤ−２が、地上アダプター３１Ａの管理可能領域４１には識別データＧＵＩＤ−３がそれぞれ設定され、各ＣＰＵ１７、３９に管理されている。
【００２４】
そこで、本実施の形態ではＩＥＥＥ１３９４特有の機器を一意に決定するＧＵＩＤを利用して少なくとも１の共用化受信機と地上アダプター３１Ａが通信中には他の共用化受信機による地上アダプター３１Ａの使用を禁止する排他制御を行う。
【００２５】
以下、前記排他制御を説明する。
始めに、地上アダプター３１Ａの図示しない電源スイッチがＯＮされた状態では、ＣＰＵ３９は記憶部４３に識別データが格納されず未使用状態を示す固有のデータ、例えば［０ｘＦＦＦＦＦＦＦＦ］を書き込み、何れかの共用化受信機からの送信命令をも受信可能とする。
【００２６】
次に、共用化受信機１Ａを使用するユーザから地上アダプター３１Ａを使用する地上デジタルサービスの送信命令があった場合等、共用化受信機１ＡのＣＰＵ１７は該地上アダプター３１ＡのオーナーＧＵＩＤ記憶部４３を読み出し、オーナーＧＵＩＤ記憶部４３が未使用か、共用化受信機１Ａ自身の識別データＧＵＩＤ−１が格納されているか、或は他の共用化受信機の識別データが既に格納されているかを判断する。
【００２７】
オーナーＧＵＩＤ記憶部４３が未使用の場合には、ＣＰＵ１７はオーナーＧＵＩＤ記憶部４３に共用化受信機１Ａの自身の識別データＧＵＩＤ−１を設定する制御命令（ＡＶ／Ｃコマンドなど）を地上アダプター３１ＡのＣＰＵ３９に送信し、識別データＧＵＩＤ−１をオーナーＧＵＩＤ記憶部４３に書き込む。
【００２８】
オーナーＧＵＩＤ記憶部４３に識別データＧＵＩＤ−１が書き込まれた場合及び書き込まれていた場合には、地上アダプター３１Ａは共用化受信機１Ａ専用の地上アダプターとして機能する。具体的には、地上アダプター３１ＡのｏＰＣＲ（ｏｕｔｐｕｔ  Ｐｌｕｇ  Ｃｏｎｔｒｏｌ  Ｒｅｇｉｓｔｅｒ）と共用化受信機１ＡのｉＰＣＲ（ｉｎｐｕｔ  Ｐｌｕｇ  Ｃｏｎｔｒｏｌ  Ｒｅｇｉｓｔｅｒ）にＩＥＣ６１８８３−１で規定されるｐｏｉｎｔ−ｔｏ−ｐｏｉｎｔコネククションを確立する。これにより、ＣＰＵ３９は受信した地上デジタルサービスの送信指令（ＡＶ／Ｃコマンド）に基づいてフルＴＳ信号を入出力インターフェース３７からＩＥＥＥ１３９４バス２１を介して共用化受信機１Ａに送信する。
【００２９】
一方、オーナーＧＵＩＤ記憶部４３に識別データＧＵＩＤ−１以外、例えばＧＵＩＤ−２が書き込まれていた場合には、ＣＰＵ３９は共用化受信機１Ａからの使用を拒否する。具体的には、ＩＥＣ６１８８３−１で規定されるコネクションの確立を拒否する。これにより、地上アダプター３１Ａは共用化受信機１Ｂの使用中に共用化受信機１Ａから制御信号等を受信に不安定な状態となるのを防ぐことができる。
【００３０】
他の排他制御手段としては、例えば、デジタルコンテンツの伝送に先立って制御情報を正しく取り扱えるか否かの認証を取るための、ＤＴＬＡ（米国Ｄｉｇｉｔａｌ  Ｔｒａｎｓｍｉｓｓｉｏｎ  Ｌｉｃｅｎｓｉｎｇ  Ａｕｔｈｏｒｉｔｙ）社のＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）標準規格で定められた認証要求に応答（コンテンツ復号化用のキーデータを渡す）又は拒否（コンテンツ復号化用のキーデータを渡さない）とすることでも簡単に実現できる。
【００３１】
オーナーＧＵＩＤ記憶部４３に格納された識別データのクリア（未使用状態）のタイミングは、地上アダプター３１Ａの電源をＯＦＦとした時に行い、地上アダプター３１Ａの電源をＯＮした時から新たに何れかの共用化受信機との受信可能状態を確保する。
【００３２】
また、オーナーＧＵＩＤ記憶部４３に識別データＧＵＩＤ−１が格納された共用化受信機１Ａの主電源をＯＦＦした時、或いは共用化受信機１Ａの入出力ポート１５からＩＥＥＥ１３９４バス２１が外された場合（確実に地上アダプター３１Ａと共用化受信機１Ａの通信が切れた場合）には、オーナーＧＵＩＤ記憶部４３をクリアする構成としている。係る構成とすることで、接続関係の切れた共用化受信機１Ａの識別データＧＵＩＤ−１をオーナーＧＵＩＤ記憶部４３に保持し続けることで他の共用化受信機１Ｂからの制御信号に応えられなくなる不具合を回避している。
【００３３】
尚、地上アダプター３１Ａからの映像等を録画する場合には、ＤＥＭＵＸ１１からのパーシャルＴＳ信号を記録することとなるので、ＤＥＭＵＸ１１よりも情報の流れ方向下流側の機器、例えば、図示しない表示画面やスピーカを備えた表示部のみの電源をＯＦＦした時にはオーナーＧＵＩＤ記憶部４３をクリアしないことで地上アダプター３１Ａからの映像等の安定録画を確保できる。
【００３４】
以上説明したように、ＩＥＥＥ１３９４特有の識別データＧＵＩＤを利用することで簡単な構成で地上アダプター３１Ａが不安定な状態となるのを回避でき、共用化受信機を介して安定した情報、サービスをユーザに提供できる。
【００３５】
なお、前記の第１の実施形態では本発明の好適例を説明したが、本発明はこれに限定されないことはもちろんである。
例えば、オーナーＧＵＩＤ記憶部４３に格納された識別データのクリア方法として、オーナーＧＵＩＤ記憶部４３に格納された識別データに対応する共用化受信機１Ａからの指令に対する応答が終了した段階でクリアすることもできる。具体的には、ユーザが地上デジタル放送受信番組の選択から衛星デジタル放送番組の選択に切換えた場合に、例えば、切換スイッチ７の切換えに同調して、オーナーＧＵＩＤ記憶部４３をクリアすることもできる。係る構成により、短時間にオーナーＧＵＩＤ記憶部４３がクリアされ、地上アダプター３１Ａを有効に使用できる。
【００３６】
また、共用化受信機の切換スイッチ７をＢＳ・ＣＳフロントエンド（受信部）５の出力側に置くことでＣＡデスクランブラ９以降の多くの構成を地上アダプターが共用でき、地上アダプターの構成を簡易にすることができたが、切換スイッチ７の位置は限定するものではなく、共用化受信機の構成の中で接続する地上アダプターが有していない構成の入力側に設ければよい。
【００３７】
以上、説明した第１の実施形態では、受信信号を最終的にユーザに提供する情報までに復号、表示でき共用化受信機１Ａ、１Ｂに接続し、係る共用化受信機１Ａ、１Ｂの一部の構成を使用するアダプター（簡易のデジタル放送受信機）として地上デジタル放送信号を受信する地上アダプター３１Ａを説明したが、アダプターは地上アダプターに限定するものではなく、例えば、衛星デジタル放送信号を受信する衛星アダプターやケーブルデジタル放送信号を受信するケーブルアダプターであってもよい。以下、第２、第３の実施形態として説明する。
【００３８】
［第２の実施の形態］
図２は、本発明の第２の実施形態を示しており、図１の地上アダプター３１Ａに替えて衛星デジタル放送信号を受信する衛星アダプター３１Ｂを用いた場合を示している。
【００３９】
本実施の形態の衛星アダプター３１Ｂは、図１の地上アダプター３１Ａのアンテナ３３を各種衛星デジタル放送信号用のアンテナ３３Ｂ（アンテナ３と同様の構成）に替え、地上フロントエンド３５をＢＳ・ＣＳフロントエンド３５Ｂ（フロントエンド５と同様の構成）に替えたものである。その他の構成は上記第１の実施の形態と同様であり、上記した第１の実施形態の作用効果を得ることができる。
【００４０】
［第３の実施の形態］
図３は、本発明の第３の実施形態を示しており、図１の地上アダプター３１Ａに替えてケーブルデジタル放送信号を受信するケーブルアダプター３１Ｃを用いた場合を示している。
【００４１】
本実施の形態のケーブルアダプター３１Ｃは地上アダプター３１Ａのアンテナ３３に替えて各種ケーブルデジタル放送信号用のケーブル３３Ｃに替わり、地上フロントエンド３５をケーブルフロントエンド３５Ｃ（フロントエンド５と同様の構成）に替えたものである。その他の構成は上記第１の実施の形態と同様であり、上記した第１の実施形態の作用効果を得ることができる。
【００４２】
【発明の効果】
以上説明した通り、本発明によれば、簡単な構成にて共用化受信機とアダプターとが１対１の接続ではなく、例えば、複数対１の接続関係となる場合であっても安定した動作を確保できるアダプター（簡易のデジタル放送受信機）、共用化受信機、及び該共用化受信機の制御方法を提供可能となった。
【図面の簡単な説明】
【図１】本発明の第１の実施形態に係る共用化受信機１Ａ、１Ｂと地上アダプター３１ＡをＩＥＥＥ１３９４バス２１を介して接続するブロック図である。
【図２】本発明の第２の実施形態に係る共用化受信機１Ａ、１Ｂと衛星アダプター３１ＢをＩＥＥＥ１３９４バス２１を介して接続するブロック図である。
【図３】本発明の第３の実施形態に係る共用化受信機１Ａ、１Ｂとケーブルアダプター３１ＣをＩＥＥＥ１３９４バス２１を介して接続するブロック図である。
【図４】従来の共用化受信機１ａと地上アダプター３１ａをＩＥＥＥ１３９４バス２１を介して接続したブロック図である。
【図５】従来の複数の共用化受信機１ａ、１ｂを１の地上アダプター３１ａにＩＥＥＥ１３９４バス２１を介して接続したブロック図である。
【符号の説明】
１Ａ，１Ｂ  共用化受信機
３  衛星デジタル放送受信用アンテナ
５  ＢＳ・ＣＳフロントエンド
７  切換スイッチ
１５  入出力インターフェース
１７  ＣＰＵ
１９ａ，１９ｂ  管理可能領域
２１  ＩＥＥＥ１３９４バス
３１Ａ  地上アダプター
３３  地上デジタル放送受信用アンテナ
３５  地上フロントエンド
３７  入出力インターフェース
３９  ＣＰＵ
４１  管理可能領域
４３  オーナーＧＵＩＤ記憶部
３１Ｂ  衛星アダプター
３３Ｂ  衛星デジタル放送受信用アンテナ
３５Ａ  衛星デジタル放送受信用フロントエンド
３１Ｃ  ケーブルアダプター
３３Ｃ  放送ケーブル
３５Ｃ  ケーブル放送受信用フロントエンド
【図１】
2004328529.tif 000003
【図２】
2004328529.tif 000004
【図３】
2004328529.tif 000005
【図４】
2004328529.tif 000006
【図５】
2004328529.tif 000007